(57)【要約】【課題】  目詰まりを抑えて長期間濾過機能を維持してフィルター交換等にともなう装置停止時間を短縮し生産性の低下をなくすことである。【解決手段】  循環冷却水に浸漬されないロール状予備濾過部を有する巻取り自在な連通する帯状濾過材４の濾過面を貯水槽２に貯留された循環冷却水中に浸漬させるとともに、該帯状濾過材４の連通部一端に循環冷却水を吸い上げるポンプ３を接続したものであるから、循環冷却水は帯状濾過部材４を通じてポンプ３により汲み上げられるので、金型１内を流れる循環冷却水にスケール等が含まれることがなく、金型１の冷却水孔内にスケールを付着・堆積させることがなく、スケールの剥離による冷却水孔の狭窄や閉塞を防ぐことができる。【選択図】          図１
2006035089.tif 000002
【特許請求の範囲】
【請求項１】
循環冷却水に浸漬されないロール状予備濾過部を有する巻取り自在な連通する帯状濾過材の濾過面を貯水槽に貯留された循環冷却水中に浸漬させるとともに、該帯状濾過材の連通部一端に循環冷却水を吸い上げるポンプを接続したことを特徴とする循環冷却水濾過装置。
【請求項２】
帯状濾過材の逆洗浄機構を設けたことを特徴とする請求項１に記載の循環冷却水濾過装置。
【請求項３】
逆洗浄機構が帯状濾過材の連通部内にエアを吹き込む圧縮エア供給管よりなることを特徴とする請求項２に記載の循環冷却濾過装置。
【請求項４】
逆洗浄機構が帯状濾過材の連通部内に洗浄水を注入するポンプと、帯状濾過材の連通部を閉塞する押圧機構と、帯状濾過材の逆巻取り機構よりなることを特徴とする請求項２に記載の循環冷却濾過装置。
【請求項５】
帯状濾過材に通水性の保形部材を設けたことを特徴とする請求項１から４のいずれかに記載の循環冷却水濾過装置。
【請求項６】
循環冷却水を金型冷却用としたことを特徴とする請求項１から５のいずれかに記載の循環冷却水濾過装置。
【発明の詳細な説明】
【技術分野】
【０００１】
ダイカスト成形金型、プラスチック成形金型その他の冷却に用いられる循環冷却水を濾過する循環冷却水濾過装置に関するものである。
【背景技術】
【０００２】
金型に形成された冷却水孔に冷却水を流して金型を冷却する金型冷却装置は、時間とともに金型の冷却水孔の内面にスケールが沈着・堆積する。スケールが冷却水孔に沈着・堆積すると金型の冷却効果が低下するという問題があるうえに、沈着・堆積したスケールが冷却水孔の内面から剥離すると冷却水孔内で目詰まり起こし金型の冷却機能を失うという問題があった。そこで、冷却水に含まれる夾雑物を除去するためにフィルターをマニホールド本体の流入口から冷却水室内にわたって設置したものがある（例えば、特許文献１参照）。
【０００３】
しかし、マニホールド本体の流入口から冷却水室内にわたって設置したものであるため、フィルターの容量が小さく短期間でフィルターは目詰まりして金型の冷却機能が低下するという問題があった。このため頻繁にフィルター交換を行って冷却機能を維持しなければならかった。しかしマニホールド本体にフィルターが設けられているためフィルターを交換する間、装置を停止しなければならず装置の稼働率が低下して生産性が悪くなるという問題があった。
【特許文献１】特開２００１−１８０５０号公報。
【発明の開示】
【発明が解決しようとする課題】
【０００４】
解決しようとする問題点は、目詰まりを抑えて長期間濾過機能を維持してフィルター交換等にともなう装置停止時間を短縮し生産性の低下をなくすことである。
【課題を解決するための手段】
【０００５】
本発明は、循環冷却水に浸漬されないロール状予備濾過部を有する巻取り自在な連通する帯状濾過材の濾過面を貯水槽に貯留された循環冷却水中に浸漬させるとともに、該帯状濾過材の連通部一端に循環冷却水を吸い上げるポンプを接続した循環冷却水濾過装置を請求項１の発明とし、請求項１の発明において、帯状濾過材の逆洗浄機構を設けた循環冷却水濾過装置を請求項２の発明とし、請求項２の発明において、逆洗浄機構が帯状濾過材の連通部内にエアを吹き込む圧縮エア供給管よりなる循環冷却濾過装置を請求項３の発明とし、逆洗浄機構が帯状濾過材の連通部内に洗浄水を注入するポンプと、帯状濾過材の連通部を閉塞する押圧機構と、帯状濾過材の逆巻取り機構よりなる循環冷却濾過装置を請求項４の発明とし、請求項１から４の発明において、帯状濾過材に通水性の保形部材を設けた循環冷却水濾過装置を請求項５の発明とし、請求項１から５の発明において、循環冷却水を金型冷却用とした循環冷却水濾過装置を請求項６の発明とするものである。
【発明の効果】
【０００６】
本発明は、循環冷却水に浸漬されないロール状予備濾過部を有する巻取り自在な連通する帯状濾過材の濾過面を貯水槽に貯留された循環冷却水中に浸漬させるとともに、該帯状濾過材の連通部一端に循環冷却水を吸い上げるポンプを接続したものとすることにより、帯状濾過材が目詰まりしてきたら、目詰まりした濾過面を巻き取ってロール状予備濾過部の新しい濾過面を繰り出して循環冷却水に浸漬させれば濾過機能を直ちに回復させることができる。このような濾過機能の回復操作はロール状予備濾過部がなくなるまで行うことができるので、帯状濾過材の交換時期を大幅に延長することができ、帯状濾過材の交換にともなう装置の停止時間は大幅に短縮されることとなって装置の稼働率は高まり生産性を向上させることができる。
請求項２のように、帯状濾過材の逆洗浄機構を設けたものとすることにより、目詰まりした帯状濾過材を再生することができるので、ロール状予備濾過部の使用量は低減され帯状濾過材をより一層長期間使用することができることとなって装置の稼働率はさらに高まり生産性をより一層向上させることができる。
請求項５のように、帯状濾過材に通水性の保形部材を設けたものとすることにより、一般的に用いられる安価な紙や布製の濾過材を利用することができるので、ランニングコストを低減できることとなる。
【発明を実施するための最良の形態】
【０００７】
次に、図１〜４に示される金型冷却用循環冷却水の濾過装置に基づいて本発明を詳細に説明する。
図１中、１はダイカスト成形用の金型、２は循環冷却水の貯水槽、３は循環冷却水汲み上げ用のポンプ、４は循環冷却水を濾過する連通する帯状濾過材、５は帯状濾過材４の巻取り機構、６は帯状濾過材４の目詰まりを除去する逆洗浄機構である。
【０００８】
前記金型１にはポンプ３の吐出口に接続される給水配管１０を接続する給水管接続口と、金型冷却後の冷却循環水を貯水槽２に戻す戻り配管１１を接続する戻り管接続口と、金型冷却用の冷却水孔とが設けられている。
【０００９】
また貯水槽２は金型１を冷却して戻されてくる熱い循環冷却水を、貯留されている冷水と混合させて温度を下げるとともに自然冷却により冷却させるものである。
【００１０】
前記ポンプ３は連通する帯状濾過材４を介して貯水槽２の循環冷却水を汲み上げるもので、該ポンプ３により汲み上げられた循環冷却水は給水配管１０を通じて金型１の冷却水孔に導入される。金型１の冷却水孔に供給された循環冷却水は金型１の冷却水孔を循環したうえ金型１の戻り管接続口より排出され戻り管１１を通じて貯水槽２に戻される。
【００１１】
また前記連通する帯状濾過材４は紙または布製の筒状に形成された濾過材よりなり、２０μｍ程度の夾雑物を濾過するものであり、該帯状濾過材４は循環冷却水に浸漬されないロール状予備濾過部を一端に形成するとともに他端を巻取り部として、該巻取り部に濾過機能が落ちた帯状濾過材４を巻き取るものとしている。帯状濾過材４の巻取り部はポンプ３と接続できる接続口２０ａを一端に設けるとともに帯状濾過材４の端部を接続するスリットを形成した管体２０と、該管体２０を巻取り回転させる巻取り機構５とからなる。また１２は帯状濾過材４に設けられる通水性を有する保形部材であり、該保形部材１２は強度のある網目状の素材を連通部に収納したものとして、ポンプ３が駆動されて帯状濾過材４の連通部に吸込み圧がかかった際、連通部が潰されて上側と下側の濾過膜が密着して濾過機能を失うことを防止しているが、帯状濾過材４自体が吸込み圧に耐えるだけの強度を有する素材でできていれば保形部材１２は不要であることは勿論である。また保形部材１２をスポンジ状の通水性を有する素材として帯状濾過材４内に収納したものとしているが、弾性を有する枠骨状のものを内側に添装したり、濾過膜と一体に設けたりしてもよいことは勿論である。
【００１２】
さらに前記逆洗浄機構６は帯状濾過材４の連通部に向けて圧縮エアを吹き込んで濾過面に付着したスケール等を吹き飛ばして濾過機能を回復させるためのものである。逆洗浄機構６より吹きこまれる圧縮エアはポンプ３に接続される給水配管１０に接続した圧縮エア供給管１５を介して吹き込まれるもので、金型の冷却を行わないポンプ３の停止中に行うものとしている。また、圧縮エアの代わりにポンプ３を逆回転させて逆方向の水流を帯状濾過部材４の連通部に導入して目詰まりを除去するものとしてもよいことは勿論である。３０は帯状濾過部材４の方向を変えるガイドローラである。
【００１３】
このように構成されたものは、ダイカスト成形を行う際には、ポンプ３を作動させて貯水槽２より循環冷却水を吸い上げて給水配管１０を通じて金型１に供給する。循環冷却水は金型１内に形成された冷却水孔に流入し金型１を冷却することとなる。そして金型１を冷却した循環冷却水は戻り配管１１を通じて貯水槽２に戻されることとなる。
【００１４】
このようにして循環冷却水は金型１と貯水槽２間で循環することとなるが、ポンプ３の吸込み口は連通する帯状濾過材４の端部を接続した管体２０の接続口２０ａに接続されているため、ポンプ３の吸込み圧は帯状濾過材４の連通部に加わり貯水槽２の循環冷却水は帯状濾過材４を通じて連通部に吸込まれ、循環冷却水中に含まれるスケール等などの夾雑物は帯状濾過材４により濾過されることとなる。
【００１５】
このように濾過されてスケール等の夾雑物のない循環冷却水が金型１の冷却水孔に導入されるので、冷却水孔にスケール等が沈着・堆積することがなく、沈着・堆積したスケールが剥離して冷却水孔を狭窄させたり閉塞させたりすることがない。
【００１６】
このような濾過を繰り返すことにより、循環冷却水に浸漬されている帯状濾過材４にはスケール等が付着して濾過機能は低下してゆくこととなる。そして、濾過機能の低下が許容値を越えたら、ポンプ３の停止時、逆洗浄機構６を作動させて帯状濾過材４の濾過面に付着したスケール等の夾雑物を圧縮エアにより除去して帯状濾過材４を再生するものである。
【００１７】
圧縮エアによる除去は、給水配管１０に接続される圧縮エア供給管１５から圧縮エアを連通する帯状濾過材４の連通部に送り込んで、帯状濾過材４の表面に付着しているスケール等の夾雑物を剥離させることにより行われる。このような逆洗浄を行うことにより帯状濾過材４の濾過機能は回復することとなる。
【００１８】
また再三逆洗浄機構６による逆洗浄を行っても目詰まりが改善されず、濾過効率が低下してきたときには、巻取り機構５を駆動して管体２０を回転させて帯状濾過材４の濾過面を管体２０に巻き取とればロール状予備濾過部から予備の新しい濾過面が繰り出されて循環冷却水に浸漬されることとなり、新しい帯状濾過材４によって濾過が行われることとなる。また管体２０に巻き取る帯状濾過材４の長さは循環冷却水に浸漬されている濾過面すべてを巻き取る必要はない。これは管体２０に近い濾過面ほど大きな吸込み圧がかかり、管体２０から遠ざかるほど濾過面にかかる吸込み圧は小さくなるため、管体２０から遠く離れている濾過面はスケール等の付着は少なく十分濾過機能を有しているからである。
【００１９】
また帯状濾過部材４内には通水性の保形部材１２が設けられているので、ポンプ３の吸込み圧や循環冷却水の水圧を受けても帯状濾過材４を巻き取る際にも連通部は潰されることがないので、ポンプ３の吸込み圧は連通部を通じて循環冷却水中に引き伸ばされて浸漬されている濾過面に伝わることとなる。
【００２０】
さらに、管体２０に巻き取られた濾過面は目詰まりしているうえに巻き重ねられているので循環冷却水の吸込みはほとんど生じることがないので、吸込み圧は循環冷却水中に引き伸ばされて浸漬されている濾過面にかかることとなり、巻取り量の大小にかかわらず濾過能力は安定したものとなる。
【００２１】
また図５は逆洗浄機構６の別の実施例を示すもので、正逆回転自在なポンプ３と、帯状濾過材４の連通部を閉塞する上下一対のローラよりなる押圧機構２６と、必要に応じて帯状濾過材４の膨らみを防止する抑えローラ２７と、高速で逆回転する逆巻取り機構２８をロール状予備濾過部の取付部に設けたものとしている。ポンプ３は金型１の冷却時には正転させて金型１内に貯水槽２内の循環冷却水を供給するものとし、金型１を冷却していない時期に、ポンプ３を逆転させて帯状濾過材４の連通部内に洗浄用の循環冷却水を注入するものとしている。また、５は濾過機能が低下した帯状濾過材４を巻き取る巻取り機構である。帯状濾過材４は巻取り機構５と逆巻取り機構２８とにより巻取りと巻戻しが行えるようになっている。
【００２２】
このような逆洗浄機構６は帯状濾過材４が目詰まりしてきた際には、押圧機構２６を作動させて上下一対のローラを圧着させて帯状濾過材４の連通部を閉塞させる。連通部を閉塞させた状態でポンプ３を逆回転させて貯水槽２の循環冷却水を帯状濾過材４の連通部に注入するとともに、ロール状予備濾過部の取付部に設けられた逆巻取り機構２８を高速で逆回転させて帯状濾過材４を急速に巻き戻せば、押圧機構２６のローラにより連通部を閉塞されている帯状濾過材４内の水は濾過面から流出しようとするが、濾過面の目は細かいので急速に流出することができず帯状濾過材４内の水は高圧となる。この高圧水により帯状濾過材４の目に詰まっているごみは的確に取り除かれて貯水槽２内に戻されるので、帯状濾過材４は再生されることとなる。このようにして逆洗浄が終了したら貯水槽２内の循環冷却水は廃棄して新しい水と入れ替えるものとする。
【００２３】
このような高圧水による逆洗浄は帯状濾過材４の繰り返し再生を可能とするので使用期間を大幅に延長することができることとなる。また、前記した逆洗浄機構６ではポンプ３を正逆回転自在なものとして金型１の冷却と帯状濾過材４の逆洗浄とに利用できるものとして装置価格を低減するものとしているが、ポンプ３とは別のポンプを別設して洗浄水を帯状濾過材４の連通部に注入するものとしてもよいことは勿論である。
【図面の簡単な説明】
【００２４】
【図１】本発明の好ましい実施の形態を示す概略図である。
【図２】本発明の好ましい実施の形態に用いられる帯状濾過材を示す一部切欠平面図である。
【図３】同じく一部切欠側面図である。
【図４】本発明の好ましい実施の形態に用いられる帯状濾過材を巻き取った状態を示す一部切欠側面図である。
【図５】逆洗浄機構の他の実施例を用いた本発明の好ましい実施の形態を示す概略図である。
【符号の説明】
【００２５】
１  金型
２  貯水槽
３  ポンプ
４  連通する帯状濾過材
５  巻取り機構
６  逆洗浄機構
12  保形部材
15  圧縮エア供給管
26  押圧機構
28  逆巻取り機構
【図１】
2006035089.tif 000003
【図２】
2006035089.tif 000004
【図３】
2006035089.tif 000005
【図４】
2006035089.tif 000006
【図５】
2006035089.tif 000007